(57)【特許請求の範囲】
【請求項１】
空気を供給するための空気供給装置内に送風機と、マイナスイオンを発生するための密閉構造となったイオン化部のイオン発生手段とが設けられ、前記マイナスイオンを含む前記空気を送風するための散気管と、前記散気管から前記マイナスイオンを含む前記空気を注入して、廃液の浄化を行うために前記廃液を蓄え処理するための処理槽とからなる廃液の浄化装置であって、前記散気管は、前記散気管の末端まで導電性を確保するために導電性の材料で形成され、かつ前記散気管が２以上の複数の部材からなるとき、前記部材の間の接続に導電性のある接続部材を有し、前記イオン発生手段は、箱型に形成された導電性のある材質で形成され、内部に区画された空間を備えた発生筒と、この発生筒に格納されたリード線および電極、さらに発生筒と連結した供給口、排出口からなり、リード線は電源のマイナス電極側に接続し、発生筒は電源のプラス側に接続され、マイナス電極をプラス電極が完全に内包する構造にし、前記供給口には送風機が、排出口には散気管が連結され、送風機からの空気は、発生筒内で電極から発生するコロナ放電により生じるマイナスイオンを含有した後、排出口を通じて散気管に排出され、前記散気管の一部は前記処理槽内の廃液中に存在するように構成することを特徴とする廃液の浄化装置。
【請求項２】
請求項１に記載の廃液の浄化装置において、前記電極と前記発生筒との間に印加される電圧は、３０００Ｖ以上３２００Ｖ以下の直流電圧であることを特徴とする廃液の浄化装置。
【請求項３】
請求項１又は請求項２に記載の廃液の浄化装置において、前記電極の材質は、タングステン線又は炭素繊維であることを特徴とする廃液の浄化装置。
【請求項４】
請求項１又は請求項３に記載の廃液の浄化装置において、前記廃液の中に入っている前記散気管の部分は、前記空気を噴出するために下方を向いて形成された１以上の貫通孔である小孔が形成されていることを特徴とする廃液の浄化装置。
【請求項５】
請求項１に記載の廃液の浄化装置において、前記発生筒は円筒状に形成され、前記電極は前記円筒の中心線付近に位置することを特徴とする廃液の浄化装置。
【請求項６】
請求項１に記載の廃液の浄化装置において、前記発生筒は球状に形成され、前記電極は前記球の中心点付近に位置することを特徴とする廃液の浄化装置。
【請求項７】
請求項１に記載の廃液の浄化装置において、前記発生筒は箱型に形成され、前記電極は前記箱型の中心付近に位置することを特徴とする廃液の浄化装置。
【発明の詳細な説明】
【技術分野】
【０００１】
本発明は、外食産業等から排出される廃液を浄化するための浄化装置に関する。更に詳しくは、本発明は、飲食店等の厨房の廃液から油分等を取り除き処理するための廃液の浄化装置に関する。
【背景技術】
【０００２】
業務用厨房から排出される廃液は、浄化し、それに含まれる油分等を浄化してから下水等に排水することが義務づけられている。この浄化作業には、浄化槽を利用したグリストラップを使用することが一般的である。特許文献１はその一例で、浄化槽を利用したグリストラップが開示されている（図６を参照。）。
【０００３】
図６に示すように、グリストラップは、仕切り壁６により、第１処理槽と第２処理槽とに区分され、屋内側経路７と、屋外側経路１０が接続されている。更に、トラップ壁を設け、第２処理槽を２つに区分している。仕切り壁６の下部が欠如された給排開口１４を備えている。屋内側経路７の出口部から下向きに排液が排出され、濾過枠９によって粗ゴミが取り除かれるとともに、油分は浮いて第１処理槽の上層に溜まるようになる。この浮いた油分は、図中に１６で表している。
【０００４】
屋内側経路７からの排液は、グリストラップの底近くを通って、給排開口１４を通って、第１処理槽から第２処理槽に入る。排液がトラップ壁を乗り越えて屋外側経路１０に移動する際に、水よりも比重の重い不純物は沈殿して溜まり、排液は、屋外側経路１０から排出される。一定期間が経過して調理場からの排水、排液等により、グリストラップが規定以上に汚れたり、詰まったりすると、蓋１３を外して、第１処理槽、第２処理槽から油、ゴミ異物、並びに沈殿物を取り除く掃除、洗浄を行う。
【０００５】
このように、一般的なグリストラップの浄化槽内は、隔壁によって、複数の滞留領域に分かれる。廃液の油水は比重に応じて分離され、比重の小さい油成分は浄化槽の上部に滞留し、これを定期的にバキューム管等によって吸い上げて回収される。更に、グリストラップには、オゾンやイオン化された空気を注入しているものも多数ある。例えば、特許文献２はその一例で、廃液槽の浄化装置を開示している。
【０００６】
この装置は、オゾン、マイナスイオン等の、活性の高い気体を利用して廃液の改良を行っている。この浄化装置は、浄化槽の流路方向に沿って、複数枚設けられた隔壁間に気体を導入して曝気するための導入管と、この導入管の基端側に設けられたマイナスイオン発生装置から構成されている。マイナスイオン発生装置は、マイナスイオン発生体と、このマイナスイオン発生体によって発生したマイナスイオン気体を導入管に送出するための送出ポンプからなる。
【０００７】
マイナスイオン発生装置は函体に収容し、マイナスイオン発生体をカートリッジ箱内に設け、このカートリッジ箱を函体の一部に設けられたスロットに交換自在に収容している。この装置においては、マイナスイオン発生体をできるだけ廃液に近づけることによって、曝気の作用効果の向上を図っている。また、マイナスイオン発生装置としては、多数のものが開示されている（例えば、特許文献３〜４を参照。）。これらの技術は、２つの電極間に数千Ｖの電圧を設けて、コロナ放電の原理を用いるものが一般的である。
【０００８】
針状の負電極とグラウンド間には、所定の距離を設けてあり、無声放電により負電極から発生するイオンがグラウンド方向に向かう。このとき同時に、送風ポンプによって空気を送り込むと、このマイナスイオンを含有させて運搬することができる。これらの手法によってイオン化された空気を廃液槽に送り込むことが、特許文献２に開示された廃液槽の浄化装置の主旨である。
【特許文献１】特開２００２−２１３０１３号公報
【特許文献２】特開２００６−３１４９８５号公報
【特許文献３】特開２００４−７９３８８号公報
【特許文献４】特開２００２−１９８１６０号公報
【発明の開示】
【発明が解決しようとする課題】
【０００９】
しかしながら、上述の浄化装置において、発生させたマイナスイオンを効率よく廃液に注入するためには、様々な課題がある。マイナスイオンはイオン発生体からの距離が離れるに従ってその効果が下がる傾向にあるため、イオン発生体と廃液との距離が短いことが好ましいとされている。特許文献２の場合は、イオン発生体と廃液との距離を短くするために、イオン発生体を導入管の内部に設置している。このため、装置設計や実際の設置工事において、自由度が相当に制限されることになる。
【００１０】
更に、マイナスイオンを廃液までに運ぶための経路の配管は、従来は、不導体の材料で製作されることが一般的であった。このように、不導体の材料で作ると、管内に帯電がおきて経路上にマイナスイオンの滞留がおき、それがマイナスイオンの発生を抑制してしまう。例えば、マイナスイオン発生器で発生させたマイナスイオンを、塩化ビニル樹脂製の管で１メータ運び、イオン測定器で測定すると、マイナスイオンが全く検出されないこともある。
【００１１】
本発明は上述のような技術背景のもとになされたものであり、下記の目的を達成する。
本発明の目的は、発生させたマイナスイオンを廃液に効率よく導く廃液の浄化装置を提供することにある。
【課題を解決するための手段】
【００１２】
本発明の廃液の浄化装置は、空気を供給するための空気供給装置内に送風機と、マイナスイオンを発生するための密閉構造となったイオン化部のイオン発生手段とが設けられ、前記マイナスイオンを含む前記空気を送風するための散気管と、前記散気管から前記マイナスイオンを含む前記空気を注入して、廃液の浄化を行うために前記廃液を蓄え処理するための処理槽とからなる廃液の浄化装置であって、前記散気管は、前記散気管の末端まで導電性を確保するために導電性の材料で形成され、かつ前記散気管が２以上の複数の部材からなるとき、前記部材の間の接続に導電性のある接続部材を有し、前記イオン発生手段は、箱型に形成された導電性のある材質で形成され、内部に区画された空間を備えた発生筒と、この発生筒に格納されたリード線および電極、さらに発生筒と連結した供給口、排出口からなり、リード線は電源のマイナス電極側に接続し、発生筒は電源のプラス側に接続され、マイナス電極をプラス電極が完全に内包する構造にし、前記供給口には送風機が、排出口には散気管が連結され、送風機からの空気は、発生筒内で電極から発生するコロナ放電により生じるマイナスイオンを含有した後、排出口を通じて散気管に排出され、前記散気管の一部は前記処理槽内の廃液中に存在するように構成することを特徴とする。
【００１３】
本発明の廃液の浄化装置は、前記電極と前記発生筒との間に印加される電圧は、３０００Ｖ以上３２００Ｖ以下の直流電圧であることを特徴とする。前記電極の材質は、タングステン線又は炭素繊維であっても良い。
【００１４】
前記廃液の中に入っている前記散気管の部分は、前記空気を噴出するために下方を向いて形成された１以上の貫通孔である小孔が形成されていることを特徴とする。前記発生筒は円筒状に形成され、前記電極は前記円筒の中心線付近に位置することを特徴とする。
【００１５】
前記発生筒は球状に形成され、前記電極は前記球の中心点付近に位置することを特徴とする。前記発生筒は箱型に形成され、前記電極は前記箱型の中心付近に位置することを特徴とする。
【発明の効果】
【００１６】
本発明は、以下の効果を奏する。
本発明の廃液の浄化装置により、飲食店の廃液を十分に浄化することができた。また、悪臭を取り除くこともできた。
また、発生筒と散気管が導電性の部材のため、高濃度のマイナスイオンを含有した空気を廃液に導入することが可能となった。
【００１７】
更に、マイナスイオン発生手段と処理槽との間に相当な距離を持つことが可能となり、装置設計の自由度が上がった。また更に、構造も簡単で安価な部品から構成されているため、装置自体を低価格で提供でき、運用時のメンテナンスも楽になった。
【発明を実施するための最良の形態】
【００１８】
〔装置の全体の構造〕
本願発明の概要を、図面を参照しながら説明する。図１には、本願発明による廃液の浄化装置１の概要を図示している。本願発明の廃液の浄化装置１は、飲食店等から排出される廃液、雑水等を浄化するためのものである。飲食店等から排出される廃液、雑水などを、以下総称して廃液という。廃液は生ゴミ、洗剤、油分等を含む。
【００１９】
廃液の浄化は、具体的には、グリストラップ２を用いて廃液の成分を比重に応じて分離する。更に、廃液中にイオン化された空気を曝気して、廃液の浄化作業を促進する。この廃液の浄化装置１は、グリストラップ２、空気供給装置３、及び散気管４からなる。空気供給装置３は、マイナスイオンを含む空気をグリストラップ２に提供するための装置である。空気供給装置３から排出される空気は、散気管４を通って、グリストラップ２内に供給される。
【００２０】
グリストラップ２は、処理槽１２を備えている。処理槽１２は、仕切壁６により、複数の領域に分離されている。図１の例は、３枚の仕切壁６によって、グリストラップ２を４つの領域に分離している。仕切壁６の形状及び、数は、限定されるものではなく、廃液の性質、成分によって、廃液の浄化基準によって、様々である。
【００２１】
グリストラップ２には、廃液が供給口８から供給され、処理槽１２内の複数の領域を通って浄化され、排出口１０から排出される。仕切壁６の下部が欠如された給排開口１４を備えている。グリストラップ２に供給された廃液は、処理槽１２の底近くを通り、この給排開口１４を通って、隣の領域に供給される。各領域においては、生ゴミ、洗剤、油分がその比重によって分離される。比重の小さい油分は、浮いて処理槽１２の上層に溜まる。
【００２２】
図中、１６は、浮いている油分を表している。そして、各領域において、散気管４は、マイナスイオンによってイオン化された空気を供給する。この空気は、各領域内を撹乱させ、廃液に含まれる生ゴミ、洗剤、油分等の分離、その処理を促進する。それでもどうしても分解できないカスが残る。この装置を稼動させて一定期間が経過したのち、グリストラップ２を掃除することが好ましい。
【００２３】
〔空気供給装置３〕
空気供給装置３は、空気をイオン化するためのイオン化部２０、イオン化部２０に空気を供給するための送風機２２、およびイオン化部２０に電力を供給する電源２４からなる。図１に図示するように、イオン化部２０、送風機２２、電源２４は、筐体３ａに収納されている。この筐体３ａからなる全体を、本願発明の廃液の浄化装置１の本体とも言う。イオン化部２０には散気管４が機械的にかつ電気的に接続される。
【００２４】
筐体３ａは、後述する理由により、導電性の材料できていることが好ましい。送風機２２は、空気を供給するものであれば、任意の装置を利用することができる。本願発明では、既存の送風機を利用するので、その詳細な構造及び、動作については省略する。なお、送風性能は、後述するが、毎分８０〜１２０Ｌが適当である。また、電源２４は、必要な電圧をイオン化部２０に供給できるものであれば、任意の電源装置を用いることができる。
【００２５】
例えば、商用の交流電源を増圧して直流電源に変換して供給しても良い。また、バッテリー等の直流電源を用いても良い。したがって、その詳細な構造及び、動作については省略する。なお、供給電圧は、後述するが、直流３０００〜３２００ボルトが適当である。空気供給装置３は、イオン化部２０で発生させたマイナスイオンで、送風機２２から供給された空気をイオン化して、散気管４へ排出するものである。
【００２６】
図２は、空気供給装置３内のイオン化部２０の概観を図示している。図３は、同じくイオン化部２０の断面図を図示している。イオン化部２０は、金属の発生筒２６と、これに格納されるリード線３２および電極４０その他からなる。発生筒２６は箱型に形成され供給口２８と排出口３０とが設けられている。供給口２８には送風機２２が連結され、排出口３０には散気管４が連結されている。送風機２２からの空気は、発生筒２６内で、電極４０から発生するマイナスイオンを含有したのち、排出口３０を通じて散気管４に排出される。
【００２７】
次にイオン化部２０の内部の詳細について説明する。発生筒２６は導電性の金属部材で箱型に形成され、上部の穴３６からリード線３２が挿入されている。イオン化部２０は密閉構造となっており、リード線３２と発生筒２６との間はシール部材３８でシールされている。リード線３２は、コード２４ａを介して電源２４のマイナス電極側に接続されている。発生筒２６は、コード２４ｂを介して電源２４のプラス電極側に接続されている。
【００２８】
これらにより、マイナス電極をプラス電極が完全に内包する構造となっている。コード２４ｂは発生筒２６直接にではなく、これを固定している筐体３ａに接続されていることが好ましい。つまり、発生筒２６と電気に接続されている筐体３ａに接続されていることが好ましい。こうすることで、発生筒２６内の各部位における等電位性を高めている。リード線３２の先端には、複数本の電極４０が付いている。この電極４０は、細い炭素繊維、又は、タングステン線を集合して作られている。つまり、電極４０は、タングステン線又は炭素繊維を多数束ねて形成されたものであることが好ましい。電極固定具３９は電極４０とリード線３２を、導電性を確保しつつ固定している。
【００２９】
電極４０は先端が尖っており、おもにこの尖った部分から、コロナ放電の原理によりマイナスイオンが空気中に放出される。イオン発生の原理は、直流電源によるコロナ放電の原理を用いている。コロナ放電とは、尖った電極（針電極）の周囲に不均一な電界が生じることで起こる持続的な放電のことをいう。これにより、気体中にイオンを増加させることができるので、集塵機などに応用されている。なお、コロナ放電によって流れる電流は極めて小さく、数μＡ程度でしかない。
【００３０】
電極４０は電源２４のマイナス側に、発生筒２６は電源２４のプラス側に電気的に接続され、両者の間には３０００〜３２００ボルトの直流電圧が印加されている。しかし、両者間は空気で絶縁され、適当な距離を保つかぎり、この絶縁が破れることはない。よって、電極４０の先端より、マイナスイオンが大量かつ持続的に放出される。発生筒２６内には供給口２８を通じて送風機２２からの加圧された空気が大量に流入する。
【００３１】
この空気は狭い供給口２８から広い発生筒２６内に一気に展開するため乱流となり、電極４０から放出されたマイナスイオンを発生筒２６内のあちこちに運ぶ。そして、その一部は内壁に吸着される。ここで、もしも発生筒２６が一部でも不導体で形成されていれば、その部分にたちどころに帯電現象が起こり、発生筒内２６でのマイナスイオンの滞留を招く。そのことが電極４０からのマイナスイオンの発生を抑制し、排出口３０からの空気のマイナスイオン濃度が著しく下がってしまう。
【００３２】
本願発明では、発生筒２６は導通体である金属で形成されており、電源２４のプラス側に電気的に接続されている。このため、内壁に接触したマイナスイオンは、自由電子となって電源２４に向かって流れるため、接触箇所での帯電現象がおきず、発生筒２６内でのマイナスイオンの滞留もおこらない。したがって、電極４０からのマイナスイオンの発生を抑制することがない。従って、発生したマイナスイオンは、多少は目減りしたとしてもその程度は少なく、その結果、大量のマイナスイオンを排出口３０から送出することができる。
【００３３】
マイナスイオンは、もともと非常に不安定で崩壊しやすい物質である。発生筒２６内部での空気の乱流によっても減るし、発生筒２６内の壁面に吸着されることでも減る。よって、これらの目減り分を考慮して、マイナスイオンの発生量を十分確保するために、電極間に相当の電圧を印加する必要がある。種々の研究によれば、直流３０００〜３２００ボルトが適当である。これ以上電圧を上げるとオゾンが発生するため、不適となる。
【００３４】
発生筒２６には、リード線３２を発生筒２６内に入れるための１以上の穴３６が空いている。発生筒２６の上面には固定板３４があり、止ネジ３５等で固定している。固定板３４には孔３６が空いており、この孔３６からリード線３２が発生筒２６内に入る。また、リード線３２が動かないようにシール部材３８を備えている。シール部材３８は、絶縁体であることが好ましい。リード線３２は、コード２４ａを介して電源２４のマイナス側に接続される。発生筒２６は、コード２４ｂを介して電源２４のプラス側に接続される。
【００３５】
リード線３２と発生筒２６の間は、ある程度の距離を有する必要がある。後述の実施例においては、この距離は、具体的には２〜３ｃｍの距離であった。印加電圧がもっと高くなれば、絶縁を保つためにこの距離がもっと増大する。この距離が短いと、絶縁が破れて火花放電を生じる。その結果、コロナ放電が抑制されるため、マイナスイオンは発生しなくなる。むろん、電極４０と、発生筒２６の各内壁との距離は、できるだけ等距離にすることが好ましく、電極４０は、発生筒２６内の空間の真ん中に位置するように設定することが好ましい。
【００３６】
本発明の装置１は、長時間連続して使用するものである。このために、発生筒２６は、送風機２２からの強い空気圧に耐える必要がある。例えば、長時間の間に相当な空気圧の空気を送り込むと、発生筒２６の疲労、発熱も考慮しなければならない。発生筒２６は、金属でできているので、このような疲労に十分に耐え、対熱効果も十分である。更に、金属の発生筒に、既存の放熱装置を設けてもよい。
【００３７】
〔実例の例示〕
更に、本願発明のイオン化部２０の実例から例示する。しかし、この実例は、本実施の形態を限定するものではない。図２、３に図示した発生筒２６の大きさは、高さ５ｃｍ、長さ５ｃｍ、幅１０ｃｍであった。この寸法の発生筒２６から出てくるマイナスイオンの測定を行なった。なお、イオン測定器には、株式会社佐藤商事（所在地：日本国神奈川県横浜市）製の空気イオン測定器ＡＩＣ−２０００を使用した。マイナスイオンを発生させるのにもっとも適した電圧は、直流３０００Ｖから３２００Ｖである。
【００３８】
これ以下の電圧だとマイナスイオン発生量が不足し、これ以上だとオゾンが発生する。加えて、花火放電を発生する。したがって、この範囲の電圧が最適である。これにより、１本の電極４０当たり、３０００万個／ｃｃのマイナスイオンを発生させることができた。図３に図示したように、リード線３２を３本使用した場合は、９０００万個／ｃｃのマイナスイオンを生成することができた。このときの送風機２２の送風量は、毎分１２０Ｌが適当であった。また、リード線３２を２本使用した場合は、６０００万個／ｃｃのマイナスイオンを生成することができた。このときの送風機２２の送風量は、毎分８０Ｌが適当であった。リード線３２と発生筒２６の間は、２〜３ｃｍの距離であった。グリストラップ２の処理槽１２の容量は、１７０Ｌ、３００Ｌが一般的である。
【００３９】
〔散気管４〕
図１に示すように、発生筒２６に接続された散気管４には、複数の支管４ａが接続されている。各支管４ａは、処理槽１２の複数の領域に設置される。支管４ａの先端部分には、複数の小孔１７がある。空気供給装置３から供給されたイオン化空気は、散気管４に入り、支管４ａそれぞれに供給される。最後は、小孔１７から排出されて廃液中に出る。小孔１７から出るイオン化空気は、大きな圧力で廃液をかく乱させ、廃液の浄化を促進する。
【００４０】
散気管４は、内径１３ｍｍのステンレス製の管であり、基本の長さが５００ｍｍである。支管４ａも同様にステンレス製の管である。本体と散気管４との接続にはジャバラ方式のフレキシブル管（例えば、１０００ｍｍ、６００ｍｍ長さのもの）を使用することもできる。また、これらの接続部材には、Ｌ型のもの、Ｔ型のもの、単に延長するためのものなどがある。これらの部材を組み合わせることで、処理槽１２の形状や大きさに応じた支管４ａを形成することができる。
【００４１】
また、支管４ａの終端等には、廃水の浸入を防ぐためのターミナルキャップを嵌め込むものとする。これらの接続部材は、ねじ込み式の接合であることが好ましい。接続部材の内部にはゴムリングが入っており、気密性および防水性は確保されている。しかし、接続部材の外側は金属部材のため、散気管４の末端までの導電性は確保されている。このような接続構造のため、高濃度のマイナスイオンを散気管４の末端まで運ぶことができる。
【００４２】
散気管４の材料には導電性の金属材料を採用し、発生筒２６を通じて電源２４のプラス側に電気的に接続している。このようにすると、散気管４の内壁に接触したマイナスイオンは、自由電子となって電源２４に向かって流れるため、接触箇所での帯電現象を生じない。従って、マイナスイオンは、多少目減りはしたとしても、そこで滞留することはない。また、イオン化部２０でのマイナスイオンの発生を抑制することもない。
【００４３】
これらの作用は発生筒２６とまったく同様のメカニズムである。これらの作用により、発生筒２６から出たマイナスイオンがスムーズに廃液までに届く。したがって、散気管４、及びその支管４ａは、全て導電性の金属管でなければならない。もしも途中に不導体管、例えば、塩化ビニル、シリコンパイプなどがあると、その部分が帯電し、そこでマイナスイオンの滞留が起きる。その結果、その先に金属管を繋いでもマイナスイオンは一切出てこなくなり、空気ばかりが流れてくるだけである。
【００４４】
どうしても途中に不導体管を使う必要のある場合には、両端の金属管を導通部材で電気的に接続してやる必要がある。同じ理由で散気管４と発生筒２６との接続部分も、非金属の部材を介さない接続が望ましい。このようにすることで、マイナスイオンの長距離搬送が可能となり、グリストラップ装置設計の自由度が上がる。
【００４５】
支管４ａの水中部分には１以上の小孔１７を有する。図４は、支管４ａの断面図の例を図示している。図４は、２つの小孔１７が同一断面に設けられている例である。図５は、支管４ａの長手方向に距離をおいて、小孔１７が設けられている例である。マイナスイオンを含む空気は、この小孔１７から廃液に導入される。空気は、大きな圧力で廃液に注入され、廃液の中をかく乱させる。
【００４６】
小孔１７の直径は１ｍｍである。図４に示すように、小孔１７の中心点と、支管４ａの断面の中心点を結ぶ線は水平線に対し、約４５度の角度を形成している。この４５度という角度に大きな意味がある。このように、小孔１７を下側へ向けて設けると、処理槽１２の底近辺を効率的にかく乱させることができる。また、送風機が停止した時にも、支管４ａ内への水の浸入量が少なくて済む。
【００４７】
なお、小孔１７の間隔は、図５に示すとおり支管４ａの長手方向に沿って３０ｍｍ間隔である。また、小孔１７は、図４に示すように同一断面に複数個のものを設ける必要はなく、位置をずらして設けても良い。なお、本願発明の廃液の浄化装置１は、稼動中も稼動していないときにも、小孔１７から廃液が支管４ａの中に入らないことが望ましい。よって、送風機２２は、停止中に水の浸入を防ぐために、逆止弁を備えていることが望ましい。
【００４８】
また、散気管４も発生筒２６と同様に、長時間連続して使用するものである。このために、相当な量の空気圧に耐える必要がある。例えば、長時間の間に相当な空気圧の空気を送り込むと、散気管４の疲労、発熱なども考慮しなければならない。散気管４は、金属、例えばステンレスでできているので、十分に疲労に耐え、対熱効果も十分である。また、ステンレスであるため、水中でも腐食することが少ない。それゆえ、メンテナンスなしに長時間にわたって使用することができる。
【００４９】
〔装置全体としての効果〕
この廃液の浄化装置全体としての効果を、廃液に含まれる油分を測定することで確認することができる。本発明の廃液の浄化装置１を設置した複数の飲食店において、その飲食店の廃液を処理した廃水のノルマルヘキサン値を測定した。その結果のデータを以下の表１に示す。表１の第１欄は、排液の種類、その飲食店の種類、所在地等を示している。第２欄は廃液の浄化装置１を設置した日から、点検日までの日数である運転日数を示している。
【００５０】
第３欄、第４欄は、ノルマルヘキサン値の測定データを表している。第３欄は廃液の浄化装置１を設置する前のノルマルヘキサン値の測定値を、第４欄は設置後一定日数たった点検日での測定値を表している。これらの数値は、「排水基準を定める省令の規定に基づく環境大臣が定める排水基準に係る検定方法」（公布：昭和４９年９月３０日の環境庁告示６４号、最終改定：平成１３年６月１３日の環境省告示３７号）に従って、ノルマルヘキサン抽出物質含有量を測定したものである。
第５欄は、ノルマルヘキサン値の改善倍率を示している。改善倍率は、単純に、第３欄の値を第４欄の値に割った値である。
【００５１】
【表１】
0004906709.tif 000002
【００５２】
これらの測定結果によれば、本願発明の廃液の浄化装置１を導入することにより、ノルマルヘキサン抽出物質含有量などの排水の汚染度を示す指標が、大幅に低下していることが分かる。また、マイナスイオンは防臭効果も高い。人体にも害がないので処理槽１２の清掃作業、メンテナンスも楽である。更に、本願発明の浄化装置１は、既設の浄化槽に、簡単な工事をするだけで適用できるという利点を有する。
【００５３】
〔他の実施の形態〕
イオン化部２０の発生筒２６は、内部が円筒状に形成されても良い。そこに、数本のリード線３２を差し込む。各リード線３２の先端にある電極４０が、円筒の中心部分に位置するように配置すれば、発生筒２６のどの内壁に対しても、十分な距離を保つことができる。このことにより、花火放電の発生を未然に抑止でき、効率的にマイナスイオンを発生させることができる。なお、リード線３２が一本のみの場合は、イオン化部２０の発生筒２６は、球状としても良い。
【産業上の利用可能性】
【００５４】
本発明の装置は、飲食産業の廃水処理に利用すると良い。更に、家庭、工場等から排出される廃液の浄化に利用されても良い。更に、
本発明の装置は、既設の浄化槽に、簡単な工事をするだけで適用できる。
【図面の簡単な説明】
【００５５】
【図１】本発明の廃液の浄化装置の概略図である。
【図２】本発明の廃液の浄化装置のイオン化部の概観図である。
【図３】本発明の廃液の浄化装置のイオン化部の断面図である。
【図４】本発明の廃液の浄化装置の散気管の支管の断面図の例を示す図である。
【図５】本発明の廃液の浄化装置の散気管の支管に小孔を設けた例を示す図である。
【図６】従来のグリストラップの概略図である。
【符号の説明】
【００５６】
１・・・・廃液の浄化装置
２・・・・グリストラップ
３・・・・空気供給装置
４・・・・散気管
６・・・・仕切壁
１７・・・・小孔
１２・・・・処理槽
１６・・・・浮いている油分
２０・・・・イオン化部
２２・・・・送風機
２４・・・・電源
２６・・・・発生筒
２８・・・・供給口
３２・・・・リード線
３４・・・・固定板
３０・・・・排出口
３８・・・・シール部材
４０・・・・電極
【図１】
0004906709.tif 000003
【図２】
0004906709.tif 000004
【図３】
0004906709.tif 000005
【図４】
0004906709.tif 000006
【図５】
0004906709.tif 000007
【図６】
0004906709.tif 000008